(57)【要約】  二種の薬剤の混合操作が容易に行え、混合操作を経た後ではじめて容器内部から薬剤が注出使用される用時混合容器を提供する。  頂壁２２から垂設した外筒２１及び内筒２３を有するアダプタ２と、外筒２１に外嵌されて、該アダプタに対して回転不能に組付けられる口筒部１２を有する容器本体１と、外筒２１が圧入内嵌されて、該アダプタに対し回転可能に組付けられる嵌着筒部３１を有するガイドキャップ３とキャップ４と内筒２３下端開口部を密栓する可動栓５を備え、可動栓５は、内筒２３の下端開口部を密栓する密栓部５３と、該密栓部から上方へ延び、アダプタ２に形成された回転規制孔２５ａに挿通される軸体５４とを有し、軸体先端部がガイドキャップ３に形成された注出孔３５ｃに当接した状態で、軸体端部がガイドキャップ３の内部に設けられた軸体装着部３６，３６に螺着されている。
2010114101.tif 000002
【特許請求の範囲】
【請求項１】
（１）頂壁と該頂壁から垂設した外筒および薬剤を収容しうる内筒を有するアダプタと、
（２）該アダプタの外筒に外嵌されて、該アダプタに対して回転不能に組付けられる口筒部を有する容器本体と、
（３）該アダプタの外筒が圧入内嵌されて、該アダプタに対し回転可能に組付けられる嵌着筒部を有するガイドキャップと、
（４）該ガイドキャップに着脱自在に装着されるキャップと、該アダプタの内筒下端開口部を密栓する可動栓
とを備え、
前記可動栓は、前記アダプタの内筒の下端開口部を密栓する密栓部と、該密栓部から上方へ延び、前記アダプタに形成された周方向への回転を規制する回転規制孔に挿通される軸体とを有し、
さらに前記軸体の先端部が前記ガイドキャップに形成された注出孔に当接した状態で、前記軸体の端部が該ガイドキャップの内部に設けられた軸体装着部に螺着されている用時混合容器。
【請求項２】
前記アダプタの外筒が平面視で円弧状の大径部と小径部を備え、該アダプタの外筒が前記ガイドキャップの嵌着筒部に圧入内嵌された状態で、該アダプタの小径部と該ガイドキャップの嵌着筒部内面とが離間して空隙が生じるように構成されている、請求項１記載の用時混合容器。
【請求項３】
前記ガイドキャップの嵌着筒部内面には、該嵌着筒部内面と前記アダプタの小径部との間の離間距離とほぼ同じか低い高さを有する突条が設けられ、該突条が該アダプタの小径部と向き合うように構成されている、請求項２記載の用時混合容器。
【請求項４】
前記可動栓の軸体は、棒状の棒軸体と、該棒軸体に沿って突設された突条を備え、前記アダプタの回転規制孔は前記棒軸体と突条の断面形状に相当する形状とされている、請求項１記載の用時混合容器。
【請求項５】
前記ガイドキャップの軸体装着部は、前記可動栓が螺脱する方向に該ガイドキャップを回転させて該可動栓の軸体先端部を前記注出孔からわずかに離したときに、該注出孔がガイドキャップの内部空間に連通するように構成されている、請求項１記載の用時混合容器。
【請求項６】
前記ガイドキャップの軸体装着部は、前記注出孔を囲うように、前記可動栓の軸体端部に螺着されるネジ部を内面に刻設した割筒部が、前記注出孔が形成されたガイドキャップの天壁下面から垂下設して構成されている、請求項１記載の用時混合容器。
【請求項７】
容器本体がポリプロピレン（ＰＰ）からなり、可動栓が高密度ポリエチレン（ＨＤＰＥ）、直鎖状低密度ポリエチレン（ＬＬＤＰＥ）、低密度ポリエチレン（ＬＤＰＥ）、熱可塑性エラストマー（ＴＰＥ）から選択される少なくとも１種からなり、ガイドキャップがＨＤＰＥ、ＰＰから選択される少なくとも１種からなり、アダプタがＨＤＰＥ、ＬＬＤＰＥ、ＬＤＰＥから選択される少なくとも１種からなり、キャップがＰＰからなる、請求項１記載の用時混合容器。
【請求項８】
密栓部から上方に延びる軸体を備えた可動栓の該密栓部を、第一薬剤を収容した第一容体と第二薬剤を収容した第二容体との境界部分に配置して第一薬剤と第二薬剤とを隔離するとともに、前記可動栓の軸体端部が前記第一容体および第二容体とは別体の操作筒部内に形成された軸体装着部に螺着して構成される用時混合容器の使用方法であって、
前記第一容体、第二容体および可動栓を回転不能に組付けた状態で、前記可動栓が螺脱する方向に前記操作筒部を相対回転させ、これにより可動栓の密栓部の隔離状態を解除することを特徴とする、用時混合容器の使用方法。
【発明の詳細な説明】
【技術分野】
【０００１】
本発明は一の容器内に二種の薬剤を分離した状態で保存し、使用時にこれらを容器内部で混合して注出使用する用時混合容器に関するものである。
【背景技術】
【０００２】
点眼液等の薬剤には混合された状態や溶解された状態では化学的に不安定な薬剤が多く、このような薬剤を使用する場合、使用直前に混合操作を行わなければならない。このような二種の薬剤を分離した状態で保存し、使用時にこれらを容器内で混合して注出使用する容器として用時混合容器がある。【０００３】
用時混合容器としては、例えば、開口部を有する一の部材と開口部を有する他の部材を、開口部同士を合わせないで摺動可能に嵌合したものを隔離部材として、一の薬剤と他の薬剤を分離した状態でそれぞれ第一容体と第二容体に収容し、上記隔離部材の摺動操作により開口部同士を合わせて二種の薬剤を混合する方式を採用する容器が知られている（特許文献１，２参照）。
【先行技術文献】
【特許文献】
【０００４】
【特許文献１】特許第３２２８３７６号公報
【特許文献２】特開平１０−３３７３２１号公報
【発明の概要】
【発明が解決しようとする課題】
【０００５】
しかしながら、特許文献１の用時混合容器にあっては蓋体が、また特許文献２の用時混合容器にあっては栓体が、それぞれ単独で開閉処理のできる構造になっているので、両薬剤の混合に先立って、蓋体または栓体の開封操作により一の薬剤だけを注出してしまうという誤操作の懸念があり、また実際に使用者がこのような誤操作を行う場合もある。【０００６】
本発明は、上記事情に鑑みてなされたものであり、その主たる目的は、容器内で二種の薬剤の混合操作が容易に行え、混合操作を経た後ではじめて薬剤を注出使用できる用時混合容器を提供することにある。
【課題を解決するための手段】
【０００７】
すなわち、本発明の要旨は以下のとおりである。
〔１〕  （１）頂壁と該頂壁から垂設した外筒および薬剤を収容しうる内筒を有するアダプタと、
（２）該アダプタの外筒に外嵌されて、該アダプタに対して回転不能に組付けられる口筒部を有する容器本体と、
（３）該アダプタの外筒が圧入内嵌されて、該アダプタに対し回転可能に組付けられる嵌着筒部を有するガイドキャップと、
（４）該ガイドキャップに着脱自在に装着されるキャップと、該アダプタの内筒下端開口部を密栓する可動栓
とを備え、
前記可動栓は、前記アダプタの内筒の下端開口部を密栓する密栓部と、該密栓部から上方へ延び、前記アダプタに形成された周方向への回転を規制する回転規制孔に挿通される軸体とを有し、
さらに前記軸体の先端部が前記ガイドキャップに形成された注出孔に当接した状態で、前記軸体の端部が該ガイドキャップの内部に設けられた軸体装着部に螺着されている用時混合容器、
〔２〕  前記アダプタの外筒が平面視で円弧状の大径部と小径部を備え、該アダプタの外筒が前記ガイドキャップの嵌着筒部に圧入内嵌された状態で、該アダプタの小径部と該ガイドキャップの嵌着筒部内面とが離間して空隙が生じるように構成されている、前記〔１〕記載の用時混合容器、
〔３〕  前記ガイドキャップの嵌着筒部内面には、該嵌着筒部内面と前記アダプタの小径部との間の離間距離とほぼ同じか低い高さを有する突条が設けられ、該突条が該アダプタの小径部と向き合うように構成されている、前記〔２〕記載の用時混合容器、
〔４〕  前記可動栓の軸体は、棒状の棒軸体と、該棒軸体に沿って突設された突条を備え、前記アダプタの回転規制孔は前記棒軸体と突条の断面形状に相当する形状とされている、前記〔１〕ないし〔３〕記載のいずれかの用時混合容器、
〔５〕  前記ガイドキャップの軸体装着部は、前記可動栓が螺脱する方向に該ガイドキャップを回転させて該可動栓の軸体先端部を前記注出孔からわずかに離したときに、該注出孔がガイドキャップの内部空間に連通するように構成されている、前記〔１〕ないし〔４〕記載のいずれかの用時混合容器、
〔６〕  前記ガイドキャップの軸体装着部は、前記注出孔を囲うように、前記可動栓の軸体端部に螺着されるネジ部を内面に刻設した割筒部が、前記注出孔が形成されたガイドキャップの天壁下面から垂下設して構成されている、前記〔１〕ないし〔５〕記載のいずれかの用時混合容器、
〔７〕  容器本体がポリプロピレン（ＰＰ）からなり、可動栓が高密度ポリエチレン（ＨＤＰＥ）、直鎖状低密度ポリエチレン（ＬＬＤＰＥ）、低密度ポリエチレン（ＬＤＰＥ）、熱可塑性エラストマー（ＴＰＥ）から選択される少なくとも１種からなり、ガイドキャップがＨＤＰＥ、ＰＰから選択される少なくとも１種からなり、アダプタがＨＤＰＥ、ＬＬＤＰＥ、ＬＤＰＥから選択される少なくとも１種からなり、キャップがＰＰからなる、前記〔１〕ないし〔６〕記載のいずれかの用時混合容器、
〔８〕  密栓部から上方に延びる軸体を備えた可動栓の該密栓部を、第一薬剤を収容した第一容体と第二薬剤を収容した第二容体との境界部分に配置して第一薬剤と第二薬剤とを隔離するとともに、前記可動栓の軸体端部が前記第一容体および第二容体とは別体の操作筒部内に形成された軸体装着部に螺着して構成される用時混合容器の使用方法であって、
前記第一容体、第二容体および可動栓を回転不能に組付けた状態で、前記可動栓が螺脱する方向に前記操作筒部を相対回転させ、これにより可動栓の密栓部の隔離状態を解除することを特徴とする、用時混合容器の使用方法。
【発明の効果】
【０００８】
本発明の用時混合容器によれば、容器本体とアダプタと可動栓とが相互に相対回転不能に組付けられ、これら３つの部材に対してガイドキャップが相対回転可能に組付けられており、可動栓の軸体先端部が注出孔に当接しているので、薬剤を混合する前にキャップを取り外しても容器から薬剤が注出されることはない。そして、可動栓が螺脱する方向にガイドキャップを相対回転させるだけで二種の薬剤が混合されるので、混合操作が容易である。さらに、混合操作時に注出孔に対する軸体先端部の当接状態が解除されるので、混合操作を経た後ではじめて薬剤が注出され、これにより誤って一の薬剤だけを注出使用する誤操作を防止することができる。
【図面の簡単な説明】
【０００９】
【図１】本発明の一実施例を示す用時混合容器の分解斜視図である。
【図２】図１に示す実施例の要部拡大断面図である。
【図３】二種の薬剤を混合する時の様子を示す説明図である。
【図４】混合した薬剤を注出する時の様子を示す説明図である。
【図５】図１〜４に示すガイドキャップを下方から見た図である。
【図６】図１〜４に示すアダプタを上方から見た図である。
【発明を実施するための形態】
【００１０】
以下、図面を参照しつつ本発明の実施例を説明する。図１〜図６は本発明の実施例を示すものであり、本発明の用時混合容器は容器本体１、アダプタ２、ガイドキャップ３、キャップ４および可動栓５が一体に組み付けられて構成されている。
【００１１】
容器本体１は合成樹脂製のブロー成形品で、第一の薬剤Ａが収容されており、有底筒状の胴部１１の上端に肩部を介して口筒部１２が起立連設されている。口筒部１２の外面には、口筒部１２のほぼ半周程度の長さを有する２つの係止突条１３，１３が口筒部１２を周回するように突設され、２つの係止突条１３，１３の間に縦方向の係止溝条１４が軸心に対して正面側と背面側に刻設されている。また、口筒部１２の下部外面には、口筒部１２を周回する周突条１５が突設されている。
【００１２】
アダプタ２は合成樹脂製の射出成形品で、容器本体１の口筒部１２を外嵌する円筒状の外筒２１と、外筒２１の上部内面から半径方向内側に内鍔状に周設された頂壁２２と、頂壁２２の内周端から垂下設され、容器本体１の口筒部１２の開口部内に密嵌入される円筒状の内筒２３を備えている。外筒２１の中途部内面には、容器本体１の口筒部１２の係止突条１３に軸線方向に係止する係止突条２４が周設されるとともに、外筒２１内面で、軸心に対して正面側と背面側に、容器本体１の口筒部１２の係止溝条１４に係合する係止突条（図示せず）が縦方向に突設されている。また、アダプタ２と容器本体１とは、組付いた状態で、頂壁２２の下面周端部が容器本体１の口筒部１２の開口端面に密接している。すなわち、アダプタ２と容器本体１の口筒部１２とは、頂壁２２の下面周端部と容器本体１の口筒部１２の開口端面との密接、および外筒２１内面の係止突条２４と口筒部１２外面の係止突条１３との軸線方向の係止とにより、液密にかつ軸線方向に対して嵌脱不能に組付き、さらに、アダプタ２の外筒２１内面の係止突条（図示せず）と口筒部１２の係止溝条１４との半径方向への係合により、回転不能に組付いた状態とされている。
【００１３】
内筒２３の開口部上端の中央部には、可動栓５が挿通される回転規制孔２５ａが穿設された略円形の可動栓保持部２５が形成されており、可動栓保持部２５は頂壁２２の内周端から軸心に向けて延びる３つの板状リブ２５ｂを介して頂壁２２に連結されている。また、内筒２３は、その下端開口部が可動栓５で密栓された状態で、第二薬剤Ｂが収容されている。
【００１４】
ガイドキャップ３は合成樹脂製の射出成形品で、アダプタ２の外筒２１が圧入内嵌される円筒状の嵌着筒部３１の上端から内鍔状に周設された肩壁３２を介して有頂円筒状の胴部３３が連設されている。嵌着筒部３１の上端部内面には短円筒状の小径段部３１ａが凸設されるとともに、肩壁３２の内周端には短円筒状のシール内筒３２ａがその上方に連設された胴部３３内面と面一とされて垂下設されるとともに、嵌着筒部３１の下端部内面には係止突条３１ｂが周設されている。すなわち、アダプタ２とガイドキャップ３とは、アダプタ２の外筒２１が嵌着筒部３１に圧入内嵌された状態では、アダプタ２の外筒２１上端部が嵌着筒部３１の小径段部３１ａとシール内筒３２ａとの間に密嵌合されるとともに、アダプタ２の外筒２１の下端部外面が嵌着筒部３１の係止突条３１ｂに軸線方向に係止して、アダプタ２の外筒２１と嵌着筒部３１とが軸線方向に対して嵌脱不能に組付けられるとともに、相対回転可能に組付けられている。
【００１５】
ガイドキャップ３の胴部３３開口部を閉塞する天壁３４上面には頂部に注出口３５ａを設け、外面にネジ部３５ｂを設けたノズル部３５が立設されている。注出口３５ａはノズル部３５の頂部から天壁３４に達する円柱状の口壁を凹設した構成とされており、天壁３４のうち、ノズル部３５の注出口３５ａ下端に穿設された注出孔３５ｃにより胴部３３の内部空間に連通するようになっている。天壁３４下面には、注出孔３５ｃを囲うようにして、断面略円弧状で内面にネジ部３６ａが刻設された２つの割筒部３６，３６が対向して垂下設されており、割筒部３６は全体として、可動栓５の軸体５４を螺着する軸体装着部を構成している。
【００１６】
キャップ４は頂壁４１と頂壁４１の周縁から下方に緩やかに拡径するテーパー筒状の筒体４２とからなり、筒体４２内面にはガイドキャップ３のノズル部３５のネジ部３５ｂに螺着するネジ部４２ａが設けられるとともに、頂壁４１の下面にはノズル部注出口３５ａの開口縁に液密に密接する凸部４１ａが設けられている。
【００１７】
可動栓５は合成樹脂製の射出成形品で、アダプタ２の内筒２３の下端開口部内に嵌入する嵌入部５１と、この嵌入部５１の下端縁から外鍔状に周設され、アダプタ２の内筒２３の下端開口端面に密着する隔壁５２とを連設した密栓部５３を備え、嵌入部５１の上面から上方へ延び、回転規制孔２５ａに挿通される軸体５４を備えている。軸体５４は、棒状の棒軸体５４ａの端部に刻設されたネジ部５４ｂを備えるとともに、棒軸体５４ａに沿って突設された突条５４ｃとを備え、棒軸体５４ａの先端部がガイドキャップ３に形成された注出孔３５ｃに当接した状態で、ネジ部５４ｂがガイドキャップ３の割筒部３６のネジ部３６ａに螺着されて、ガイドキャップ３に組付けられている。また、回転規制孔２５ａは可動栓５の軸体５４の横断面形状に相当する形状とされており、可動栓５がアダプタ２の回転規制孔２５ａに挿通されてガイドキャップ３の割筒部３６に組付けられた状態では、可動栓５は回転規制孔２５ａによって周方向への回転が規制されている。
【００１８】
すなわち、本発明の用時混合容器は容器本体１、アダプタ２、ガイドキャップ３、キャップ４および可動栓５が一体に組み付けられてなり、可動栓５の密栓部５３を隔壁として容器本体１に第一薬剤Ａが収容されるとともに、アダプタ２の内筒２３に第二薬剤Ｂが収容されている。そして、上記各部材の相互の回転可能性について見ると、容器本体１とアダプタ２と可動栓５とが相互に相対回転不能に組付けられ、これら３つの部材に対してガイドキャップ３が相対回転可能に組付けられている。
【００１９】
本発明の用時混合容器を使用する際には、第一薬剤Ａと第二薬剤Ｂとの混合操作、および混合された混合液Ｃの注出操作を要する。前者については、容器本体１を把持した状態で、可動栓５が螺脱する方向（図１では、上方から見て反時計方向）にガイドキャップ３を回転させる。ガイドキャップ３を回転させると割筒部３６が共回りし、これに伴って回転する割筒部３６内面のネジ部３６ａのピッチ分だけ可動栓５が押し下げられる。可動栓５が押し下げられると、可動栓５の軸体５４先端部が注出孔３５ｃから離れるとともに、可動栓５の密栓部５３もアダプタ２の内筒２３の下端開口部から離れるので、アダプタ２の内筒２３に収容されていた第二薬剤Ｂが容器本体１に落下して、第一薬剤Ａと第二薬剤Ｂとの混合が達成される（図３参照）。
【００２０】
次に、上記混合液Ｃを注出する際には、ノズル部３５からキャップ４を螺脱して用時混合容器を逆さに向ける。すると、混合液Ｃは容器本体１からアダプタ２の頂壁２２、可動栓保持部２５および板状リブ２５ｂとの間を通過しガイドキャップ３の内部空間に達する。さらに、注出孔３５ｃの周囲に設けられた割筒部３６と割筒部３６の間が注出孔３５ｃに通ずる液流路を形成しているので、混合液Ｃはこの液流路を通じて注出孔３５ｃを通過して注出口３５ａから注出される（図４参照）。
【００２１】
上記実施例では、ガイドキャップ３の天壁３４下面から対向配置するように垂下設された２つの割筒部３６，３６を軸体装着部としているが、可動栓５が螺脱する方向にガイドキャップ３を相対回転させて可動栓５の軸体５４先端部を注出孔３５ｃからわずかに離したときに、注出孔３５ｃがガイドキャップ３の内部空間に連通するように構成されている限り、軸体装着部の形態は上記実施例に限定されない。
【００２２】
本実施例においては、アダプタ２の外筒２１外面は平面視で略円弧状の大径部２１ａと小径部２１ｂとから構成されており（図１，図６参照）、外筒２１が嵌着筒部３１に圧入内嵌された状態では、大径部２１ａと嵌着筒部３１内面とは密着するが、小径部２１ｂと嵌着筒部３１内面とは小径段部３１ａの径だけ離間して空隙が生じるように構成されている（図２参照）。そこで、第一薬剤Ａと第二薬剤Ｂとを混合する際に、容器本体１を把持した状態で、可動栓５が螺脱する方向にガイドキャップ３を相対回転させると、大径部２１ａと嵌着筒部３１内面との密着状態が外筒２１の半周分緩和される構成とされているので、小さい回転力で嵌着筒部３１を回転させることができる。また、ガイドキャップ３を１８０度から２７０度程度の一定の角度回転させるだけで第一薬剤Ａと第二薬剤Ｂを混合することができるので、簡易に混合操作を行うことができる。
【００２３】
また、本実施例では、アダプタ２の外筒２１外面の小径部２１ｂの周方向一端側付近と他端側付近にそれぞれ突条２１ｃ，２１ｄを縦方向に設けて、小径部２１ｂの周方向一端側付近の突条２１ｃと大径部２１ａの周方向他端部（図６では、大径部２１ａの右端部）の間、および小径部２１ｂの周方向他端側付近の突条２１ｄと大径部２１ａの周方向一端部（図６では、大径部２１ａの左端部）の間にそれぞれ係止溝条２１ｅ，２１ｆを形成させるとともに、ガイドキャップ３の嵌着筒部３１内面には、アダプタ２の小径部２１ｂとの間の離間距離と同じあるいは低い高さを有する１本の係止突条３１ｃが縦方向に設けられている。
【００２４】
そこで、容器製造時にアダプタ２の外筒２１をガイドキャップ３の嵌着筒部３１に圧入内嵌する際に、嵌着筒部３１内面の係止突条３１ｃを回転開始位置に相当するアダプタ２の係止溝条２１ｅに係合させてアダプタ２とガイドキャップ３を組付けると、嵌着筒部３１内面の係止突条３１ｃをアダプタ２の外筒２１外面の突条２１ｃに乗り上げさせて可動栓５が螺脱する方向（図１では、上方から見て反時計方向）にガイドキャップ３を相対回転させることは容易に行えるが、一方、嵌着筒部３１内面の係止突条３１ｃをアダプタ２の外筒２１外面の大径部２１ａに乗り上げさせて相対回転させるのは困難なので、可動栓５が螺着する方向にガイドキャップ３を相対回転させることは容易に行えない。すなわち、アダプタ２の外筒２１外面の大径部２１ａと小径部２１ｂ、ならびにガイドキャップ３の嵌着筒３１内面の係止突条３１ｃが設けられているため、可動栓５が螺着する方向にガイドキャップ３を相対回転させることが効果的に防止される。
【００２５】
また、可動栓５が螺脱する方向（図１では、上方から見て反時計方向）にガイドキャップ３を１８０度から２７０度程度の一定の角度相対回転させて、ガイドキャップ３の嵌着筒部３１内面の係止突条３１ｃを回転終位置に相当する係止溝条２１ｆに係合させると、嵌着筒部３１内面の係止突条３１ｃをアダプタ２の外筒２１外面の大径部２１ａに乗り上げさせて相対回転させるのは困難なので、ガイドキャップ３をそれ以上相対回転させることは容易に行えない。すなわち、アダプタ２の外筒２１外面の大径部２１ａと小径部２１ｂ、ならびにガイドキャップ３の嵌着筒３１内面の係止突条３１ｃが設けられているため、可動栓５を必要以上に相対回転させることが効果的に防止される。
【００２６】
本発明の用時混合容器を混合方法の観点から見ると次のようになる。すなわち、容器本体１、アダプタ２の内筒２３およびガイドキャップ３をそれぞれ第一容体、第二容体および操作筒部とした場合、密栓部５３から上方に延びる軸体５４を備えた可動栓５の密栓部５３を、第一薬剤Ａを収容した第一容体１と第二薬剤Ｂを収容した第二容体２３との境界部分に配置して第一薬剤Ａと第二薬剤Ｂとを隔離するとともに、可動栓５の軸体５４端部が操作筒部３内に形成された軸体装着部に螺着して構成される用時混合容器の使用方法であって、第一容体１、第二容体２３および可動栓５を相互に相対回転不能に組付けた状態で、可動栓５が螺脱する方向に操作筒部３を相対回転させ、これにより可動栓５の密栓部５３の隔離状態を解除することにより、第一薬剤Ａと第二薬剤Ｂの混合が達成される。
【００２７】
上記各部材に使用する合成樹脂の種類は特に限定されず、例えば、低密度ポリエチレン（ＬＤＰＥ）、直鎖状低密度ポリエチレン（ＬＬＤＰＥ）、高密度ポリエチレン（ＨＤＰＥ）、ポリプロピレン（ＰＰ）、熱可塑性エラストマー（ＴＰＥ）等を適宜組み合わせて用いることができる。すなわち、目的に応じて各部材ごとに用いる合成樹脂の種類を適宜組み合わせることができる。また、一の部材に使用する合成樹脂についても、例えば、一体成形された部材を用いる場合は、当該部材に使用される合成樹脂は通常１種類であるが、複数の構成部材を別体として製造し、それら構成部材を例えば、組み付ける、熱融着する等の手段で一体化した部材を用いる場合は、各構成部材ごとに異なる種類の合成樹脂を使用することができる。
【００２８】
特に各部材間の液密性を高めるため、容器本体１とキャップ４には本発明に係る技術分野で汎用されているＰＰを用いることが望ましい。また、アダプタ２とガイドキャップ３との間の液密性を高めるには、アダプタ２にＬＤＰＥ、ガイドキャップ３にＨＤＰＥを用いた組み合わせ、アダプタ２にＨＤＰＥまたはＬＬＤＰＥ、ガイドキャップ３にＰＰを用いた組み合わせ等が望ましい。さらに、アダプタ２と可動栓５との間の液密性を高めるには、アダプタ２にＬＤＰＥ、可動栓５にＬＬＤＰＥを用いた組み合わせ、アダプタ２にＨＤＰＥ、可動栓５にＬＬＤＰＥまたはＨＤＰＥを用いた組み合わせ、アダプタ２にＬＬＤＰＥ、可動栓５にＬＤＰＥまたはＴＰＥを用いた組み合わせ等が望ましい。
【００２９】
本発明者らが検討した結果、総合的にみて各部材間の液密性が最も高くなる合成樹脂の組み合わせは、容器本体１にＰＰ、アダプタ２にＨＤＰＥ、ＬＬＤＰＥ、ＬＤＰＥから選択される少なくとも１種、ガイドキャップ３にＨＤＰＥ、ＰＰから選択される少なくとも１種、キャップ４にＰＰ、可動栓５にＨＤＰＥ、ＬＬＤＰＥ、ＬＤＰＥ、ＴＰＥから選択される少なくとも１種を使用した場合である。上記の合成樹脂の組み合わせのうち、容器本体１がＰＰであり、アダプタ２がＬＬＤＰＥであり、ガイドキャップ３がＰＰであり、キャップ４がＰＰであり、可動栓５がＴＰＥであることが望ましい。さらに、可動栓５として、ＴＰＥからなる密栓部５３とＨＤＰＥからなる軸体５４とを一体化したものが望ましい。ＴＰＥとしては、例えば、スチレン系、塩化ビニル系、オレフィン系、ウレタン系、ポリエステル系、ポリアミド系等が挙げられる。これらのうち、ＴＰＥからなる密栓部５３とＨＤＰＥからなる軸体５４とを熱融着して一体化した可動栓５を用いる場合は、ＴＰＥとしてスチレン系が望ましい。また、混合操作を可視的に確認する必要がある場合はガイドキャップ３にＰＰ、アダプタ２にＨＤＰＥを用いることが望ましい。
【実施例】
【００３０】
表１に示す合成樹脂を用いて本発明の容器の構成部材を製造し、容器本体および内筒に薬液を充填して製品状態に組付けた試験サンプル（Ａ〜Ｋ）を用意し、試験サンプル（Ａ〜Ｊ）の各構成部材間の液密性を評価した。液密性の評価は、試験サンプルを常圧より７０ＫＰａ減圧した状態で横転放置し、１０分後に常圧に戻した後、各構成部材の嵌合部の隙間からの液漏れの有無を目視にて確認することにより行った。なお、試験サンプルは図１〜図６に準じた形状で、全高を１００ｍｍ、容器本体の胴部の直径を２４ｍｍとしたものを使用した。表２に結果を示す。表１および表２の結果から、総合的にみて、試験サンプルＣ，Ｅ，Ｉ，Ｇがそれ以外の試験サンプルに比べ各構成部材間の液密性に優れることが分かった。【００３１】
【表１】
2010114101.tif 000003
【００３２】
【表２】
2010114101.tif 000004
【産業上の利用可能性】
【００３３】
本発明は、二種の薬剤の混合操作が容易に行え、混合操作を経た後ではじめて薬剤が注出される用時混合容器として広く適用可能である。
【符号の説明】
【００３４】
１  容器本体
２  アダプタ
３  ガイドキャップ
４  キャップ
５  可動栓
１２  口筒部
２１  外筒
２１ａ  大径部
２１ｂ  小径部
２２  頂壁
２３  内筒
２５ａ  回転規制孔
３１  嵌着筒部
３１ｃ  突条
３４  天壁
３５ｃ  注出孔
３６  割筒部
３６ａ  ネジ部
５３  密栓部
５４  軸体
５４ａ  棒軸体
５４ｃ  突条
Ａ  第一薬剤
Ｂ  第二薬剤
Ｃ  混合液
【図１】
2010114101.tif 000005
【図２】
2010114101.tif 000006
【図３】
2010114101.tif 000007
【図４】
2010114101.tif 000008
【図５】
2010114101.tif 000009
【図６】
2010114101.tif 000010
【国際調査報告】
2010114101.tif 000011
2010114101.tif 000012